(57)【要約】【課題】容器外周面に取り付ける紙ラベルにおいて、使用後に容易に除去することのできる紙ラベルを提供する。【解決手段】容器外周面上を横方向に巻回密着させて使用される紙を基材とする紙ラベルであって、該紙ラベルは容器外周面とは接合せずにその一方の端部がその他方の端部と接続するように構成されるとともに、湿潤後の乾燥により容器外周横方向において収縮することを特徴とする容器からの除去が容易な紙ラベル。【選択図】      なし【特許請求の範囲】
【請求項１】
容器外周面上を横方向に巻回密着させて使用される紙を基材とする紙ラベルであって、該紙ラベルは容器外周面とは接合せずにその一方の端部がその他方の端部と接続するように構成されるとともに、湿潤後の乾燥により容器外周横方向において収縮することを特徴とする容器からの除去が容易な紙ラベル。
【請求項２】
湿潤させたときに容器外周方向に実質的に伸びを生じない紙基材を用いて形成されたことを特徴とする請求項１に記載の紙ラベル。
【請求項３】
湿潤させたときに容器外周方向に実質的に伸びを生じる紙基材を用いて形成されたことを特徴とする請求項１に記載の紙ラベル。
【請求項４】
内容物を充填した又は充填していない容器に対し、請求項１に記載の紙ラベルを、湿潤させた状態で、該容器外周面上に横方向に巻回させ、該紙ラベルの端部で接続し、次いで乾燥させることを特徴とする容器に対する紙ラベルの取り付け方法。
【請求項５】
内容物を充填した又は充填していない容器に対し、請求項１に記載の紙ラベルを、該容器外周面上に横方向に巻回させ、該紙ラベルの端部で接続した後、該ラベルを湿潤させ、次いで乾燥させることを特徴とする容器に対する紙ラベルの取り付け方法。
【請求項６】
内容物を充填した又は充填していない容器に対し、請求項２に記載の紙ラベルを、湿潤させた状態で、該容器外周面上に横方向に巻回させ、該紙ラベルの端部で接続し、次いで乾燥させることを特徴とする容器に対する紙ラベルの取り付け方法。
【請求項７】
内容物を充填した又は充填していない容器に対し、請求項２に記載の紙ラベルを、該容器外周面上に横方向に巻回させ、該紙ラベルの端部で接続した後、該ラベルを湿潤させ、次いで乾燥させることを特徴とする容器に対する紙ラベルの取り付け方法。
【請求項８】
内容物を充填した又は充填していない容器に対し、請求項３に記載の紙ラベルを、湿潤させた状態で、該容器外周面上に横方向に巻回させ、該紙ラベルの端部で接続し、次いで乾燥させることを特徴とする容器に対する紙ラベルの取り付け方法。
【請求項９】
内容物を充填した又は充填していない容器に対し、請求項３に記載の紙ラベルを、該容器外周面上に横方向に巻回させ、該紙ラベルの端部で接続した後、該ラベルを湿潤させ、次いで乾燥させることを特徴とする容器に対する紙ラベルの取り付け方法。
【請求項１０】
内容物を充填した又は充填しない容器の外周面上を横方向に巻回密着させた紙ラベルを有する容器であって、該紙ラベルが、請求項１〜３のいずれかに記載の紙ラベルであることを特徴とする紙ラベル付き容器。
【請求項１１】
内容物を充填した又は充填しない容器の外周面上を横方向に巻回密着させた紙ラベルを有する容器であって、該紙ラベルが、請求項２に記載の紙ラベルであることを特徴とする紙ラベル付き容器。
【請求項１２】
内容物を充填した又は充填しない容器の外周面上を横方向に巻回密着させた紙ラベルを有する容器であって、該紙ラベルが、請求項３に記載の紙ラベルであることを特徴とする紙ラベル付き容器。
【発明の詳細な説明】
【０００１】
【発明の属する技術分野】
本発明は、缶、ビン、ボトル等の容器に対してその外周面上を横方向に巻回密着させて使用される紙を基材とした紙ラベル、該紙ラベルを容器に取り付ける方法及び該紙ラベル付き容器に関するものである。
【０００２】
【従来の技術】
現在流通している缶やビン、ペットボトル等の容器に貼着されているラベルは、人手により除去することは非常に困難である。
これは、ラベルの裏側全面が容器外周面に対する接着面（接合面）に形成され、そのラベルの裏側全面を容器外周面に接着させているからである。
一方、近年においては、使用済みの容器を再利用することが強く要望されるようになってきている。
しかしながら、使用済み容器を再利用しようとすると、その容器外周面へ貼着されているラベルを除去することが必要になるが、そのラベルの除去は容易ではなく、このことがその容器の再利用上の大きなネックとなっており、除去性の良いラベルの出現が強く要望されている。
【０００３】
容器の再利用化を容易にするために、容器表面から除去の容易なラベルもいくつか提案されている。特表２００１−５００６３２号公報（特許文献１）には、ラベルの両端近傍に多数の微小な透孔を形成したラベルが開示され、特開２００２−６２８０９号公報（特許文献２）には、接着剤層を有するラベル基材に、使用後の水洗に際して洗浄水がそのラベル基材へ浸透しやすいように、スリットや微細孔を設けたものが開示されている。
しかしながら、これらのラベルは、いずれも、容器表面に対する接着剤層を有するものであり、その接着剤層の接着力を水洗時の洗浄水により弱くしようとするものであるため、容器表面からの除去性に関しては、未だ不満足のものであった。
【０００４】
【特許文献１】
特表２００１−５００６３２号公報
【特許文献２】
特開２００２−６２８０９号公報
【０００５】
【発明が解決しようとする課題】
本発明は、容器外周面に取り付ける紙ラベルにおいて、使用後に容易に除去することのできる紙ラベル、該紙ラベルを容器に取り付ける方法及び該紙ラベルを容器に取り付けた容器を提供することをその課題とする。
【０００６】
【課題を解決するための手段】
本発明者は、前記課題を解決すべく鋭意研究を重ねた結果、本発明を完成するに至った。
即ち、本発明によれば、以下に示す紙ラベル、容器に対する紙ラベルの取り付け方法及び紙ラベル付き容器が提供される。
（１）容器外周面上を横方向に巻回密着させて使用される紙を基材とする紙ラベルであって、該紙ラベルは容器外周面とは接合せずにその一方の端部がその他方の端部と接続するように構成されるとともに、湿潤後の乾燥により容器外周横方向において収縮することを特徴とする容器からの除去が容易な紙ラベル。
（２）湿潤させたときに容器外周方向に実質的に伸びを生じない紙基材を用いて形成されたことを特徴とする前記（１）に記載の紙ラベル。
（３）湿潤させたときに容器外周方向に実質的に伸びを生じる紙基材を用いて形成されたことを特徴とする前記（１）に記載の紙ラベル。
（４）内容物を充填した又は充填していない容器に対し、前記（１）に記載の紙ラベルを、湿潤させた状態で、該容器外周面上に横方向に巻回させ、該紙ラベルの端部で接続し、次いで乾燥させることを特徴とする容器に対する紙ラベルの取り付け方法。
（５）内容物を充填した又は充填していない容器に対し、前記（１）に記載の紙ラベルを、該容器外周面上に横方向に巻回させ、該紙ラベルの端部で接続した後、該ラベルを湿潤させ、次いで乾燥させることを特徴とする容器に対する紙ラベルの取り付け方法。
（６）内容物を充填した又は充填していない容器に対し、前記（２）に記載の紙ラベルを、湿潤させた状態で、該容器外周面上に横方向に巻回させ、該紙ラベルの端部で接続し、次いで乾燥させることを特徴とする容器に対する紙ラベルの取り付け方法。
（７）内容物を充填した又は充填していない容器に対し、前記（２）に記載の紙ラベルを、該容器外周面上に横方向に巻回させ、該紙ラベルの端部で接続した後、該ラベルを湿潤させ、次いで乾燥させることを特徴とする容器に対する紙ラベルの取り付け方法。
（８）内容物を充填した又は充填していない容器に対し、前記（３）に記載の紙ラベルを、湿潤させた状態で、該容器外周面上に横方向に巻回させ、該紙ラベルの端部で接続し、次いで乾燥させることを特徴とする容器に対する紙ラベルの取り付け方法。
（９）内容物を充填した又は充填していない容器に対し、前記（３）に記載の紙ラベルを、該容器外周面上に横方向に巻回させ、該紙ラベルの端部で接続した後、該ラベルを湿潤させ、次いで乾燥させることを特徴とする容器に対する紙ラベルの取り付け方法。
（１０）内容物を充填した又は充填しない容器の外周面上を横方向に巻回密着させた紙ラベルを有する容器であって、該紙ラベルが、前記（１）〜（３）のいずれかに記載の紙ラベルであることを特徴とする紙ラベル付き容器。
（１１）内容物を充填した又は充填しない容器の外周面上を横方向に巻回密着させた紙ラベルを有する容器であって、該紙ラベルが、前記（２）に記載の紙ラベルであることを特徴とする紙ラベル付き容器。
（１２）内容物を充填した又は充填しない容器の外周面上を横方向に巻回密着させた紙ラベルを有する容器であって、該紙ラベルが、前記（３）に記載の紙ラベルであることを特徴とする紙ラベル付き容器。
【０００７】
【発明の実施の形態】
本発明の紙ラベルは、容器外周面上を横方向に巻回密着させて使用されるものであるが、本発明の場合、該紙ラベルは、その両端部において接続されるだけで、ラベルの裏側には容器外周面と接合させるための接着剤層を有しないことを特徴とする。
【０００８】
従来の紙ラベルの場合、その容器に対する取り付けは、紙ラベルの裏側に形成した接着剤層を介して容器外周面に接合することによって行われている。この方法の場合、容器に対する紙ラベルの固着は強固であり、紙ラベルは容易に剥離されないという利点はあるものの、容器使用後には、逆にそのことが原因になって、容器の再利用を困難なものにしている。
本発明の紙ラベルの場合、従来の紙ラベルとは異なり、紙ラベルには、容器外周面へ固着（接合）させるための接着剤層を有しない。本発明における容器に対する紙ラベルの固着は、紙を湿潤させた後に乾燥したときに生じる紙の収縮力により行う。
【０００９】
本発明者の研究によれば、紙ラベルを容器外周面上を横方向に巻回密着させ、該紙ラベルの両端部を接続し、そして、この紙ラベルを湿潤させた後、乾燥するときには、その紙ラベルは、容器外周横方向において収縮を生じ、そして、この収縮力によって該紙ラベルは容器に対してずれ等を生じることなく強く固着されることを見出した。本発明は、このような知見に基づいて完成されたものである。
【００１０】
図１に本発明の紙ラベルの説明図を示し、図２に該紙ラベルを取り付けた容器の説明図を示す。
図１及び図２において、１は紙基材、２は接着性接続端部、３は該接着性端部と接続する端部、４は接続部、５は紙ラベル、６は容器を示す。
紙ラベル５は、これを容器の外周面上を横方向に巻回密着させ、その両端部２、３を接続し、その接続後、該紙ラベルを湿潤させ、次いで乾燥させることによって、容器へ取り付けることができる。
また、紙ラベル５は、これを湿潤状態で容器の外周面上を横方向に巻回密着させ、その両端部において接続した後、乾燥させることによって、容器へ取り付けることができる。この場合の乾燥には、自然乾燥の他、熱風やヒータを用いる強制乾燥が包含される。
【００１１】
紙ラベルの横方向の寸法は、紙ラベルを乾燥状態又は湿潤状態において容器外周面上を横方向に巻回する場合、その巻回した紙ラベルが該容器外周面へ密着した状態となるような寸法である。即ち、その紙ラベルの横方向の寸法は、乾燥した紙ラベルを容器外周面上を横方向に巻回する場合、その紙ラベルの横方向の寸法は、該容器の外周囲長さに対し、その接続端の長さを加えた長さとする。また、湿潤した紙ラベルを容器外周面上を横方向に巻回する場合、その紙ラベルの横方向の寸法は、湿潤した状態の寸法で、該容器の外周囲長さに対し、その接続端の長さを加えた長さとする。
【００１２】
金属製（主にアルミ製）の缶やボトルあるいはプラスチック製のボトル（主にペットボトル）等の容器においては、内容物を充填したときに、該容器が幾分膨張する。このような内容物の充填により膨張を生じる容器に対して本発明の紙ラベルを取り付ける場合には、紙ラベルを湿潤状態で容器に巻回密着させ、両端を接続し、乾燥した後、該容器に対して内容物を充填するのが好ましい。このようにして内容物を充填するときには、その容器の膨張により、紙ラベルと容器との密着性（固着性）が向上する。また、この場合の容器へ充填する内容物は、炭酸飲料水であることが有利である。炭酸飲料水は、炭酸ガスを放出して、容器内圧を高めるので、紙ラベルと容器との間の密着性が更に向上する。
【００１３】
本発明の紙ラベルは、湿潤させた後、乾燥するときには、図１に示した矢印方向へ収縮する性質を有し、この収縮力によって容器外周面へ固着させることができる。このようにして容器へ固着された紙ラベルは、その容器の搬送や取り扱いに際しては、容易に剥離することはないが、容器外周面上へ接着剤により接着させたものではないことから、その容器使用後には、使用者の人手等により、その容器から容易に除去することができる。
【００１４】
本発明に用いるラベル基材用紙は、湿潤後乾燥すると収縮を生じるものであればよく、非塗工紙及び塗工紙が一般的に用いられる。非塗工紙としては、上質紙や中質紙、下級紙、グラビア用紙等が包含される。塗工紙には、上質コート紙、軽量コート紙、中質コート紙、キャストコート紙、微塗工紙等が包含される。
【００１５】
本発明の紙ラベルは、前記紙を基材とし、その表面に所要の文字や図柄等を印刷したものであり、そして、その一方の端部には、他方の端部と接続するために、あらかじめ接着剤を塗布しておくか又は紙ラベルを容器に固着するときに、接着剤を塗布する。紙ラベルの表面には、必要に応じ、本発明の目的を阻害しない範囲で、耐水処理等の表面処理を施すことができる。
【００１６】
本発明で用いる紙ラベルにおいて、その厚さは、通常、０．０５〜０．１ｍｍ、好ましくは０．０８〜０．０９８ｍｍ、より好ましくは０．０９〜０．０９６ｍｍである。また、その湿潤後乾燥したときの収縮率は、一般的には、０．２〜１％、好ましくは０．４〜０．９５％、より好ましくは０．５〜０．９％である。この場合の収縮率は、次式で表される。
Ｒ＝（Ａ−Ｂ）／Ａ×１００（％）
Ｒ：紙ラベルの横方向の収縮率（％）
Ａ：湿潤前の紙ラベルの横方向の長さ
Ｂ：湿潤後乾燥したときの紙ラベルの横方向の長さ
【００１７】
なお、前記紙ラベルの湿潤は、容器内に入れた水（２５℃）中に３０秒間浸漬することによって行った。
また、紙ラベルの乾燥は、前記のようにして湿潤させた後、その湿潤紙ラベルを５時間室温（２５℃）に放置することによって行った。
【００１８】
本発明の紙ラベルは、パルプ繊維の配向方向（目）によって、湿潤したときに伸びる方向と、伸びを生じない方向がある。
本発明の紙ラベルにおいて、湿潤したときに、その横方向（容器の外周面の横方向に対応する方向）に実質的な伸びを生じないものを、本明細書においては、タイプＡの紙ラベルと言う。
また、湿潤したときに横方向に伸びを生じるものを、本明細書においては、タイプＢの紙ラベルと言う。
【００１９】
タイプＡの紙ラベルの場合、湿潤しても横方向への伸びを生じないが、湿潤後乾燥すると、横方向での収縮を生じる。このタイプＡの紙ラベルは、湿潤しても横方向に伸び生じないことから、いったん容器に取り付けた後では、容器には強く固着した状態が保持されるという特徴を有する。従って、この紙ラベルは、その紙ラベルが湿潤するような条件（例えば、水に浸ける、水と接触する、冷却により表面に水滴が生じる等の条件）で使用される容器、例えば、ビール等の冷却して飲む酒類、ジュースや炭酸飲料水、水等の冷却して飲む飲料水用の容器、冷蔵を要する食品容器（缶、ビン、ペットボトル等）用の紙ラベルとして有利に用いられる。
【００２０】
タイプＡの紙ラベルは、これを内容物を充填した又は充填しない容器の外周面に取り付けた後、湿潤させ、乾燥することによって容器に取り付けることができる。また、内容物を充填した又は充填していない容器の外周面に該紙ラベルを湿潤状態で巻回し、両端部を接続した後、乾燥することによって容器に取り付けることもできる。
【００２１】
タイプＢの紙ラベルの場合、湿潤すると横方向への伸びを生じるが、湿潤後乾燥すると横方向での収縮を生じる。このタイプＢの紙ラベルは、湿潤すると、横方向へ伸びる性質を有することから、紙ラベルが湿潤しないような条件（例えば、水と接触しない、水に浸けない、表面に水滴が生じない等の条件）で用いられる容器に対して有利に用いられる。このような容器としては、しょう油、酢、酒、焼酎等の冷却や冷蔵を要しないビン、缶、ボトル等の容器が挙げられる。
タイプＢの紙ラベルも、タイプＡの紙ラベルと同様に、これを内容物を充填した又は充填していない容器の外周面に取り付けた後、湿潤させ、乾燥することによって容器に取り付けることができる。
【００２２】
本発明の紙ラベルは、特に、炭酸を含む飲料水用容器に好ましく適用することができる。炭酸を含む飲料水を容器に充填した場合、その容器は、その飲料水から放出された炭酸ガスの圧力により幾分膨張するが、この場合の膨張により、その容器外周面に取り付けた紙ラベルの収縮力と相まって、紙ラベルとの間の密着性が向上する。
【００２３】
本発明の紙ラベルは、乾燥状態又は湿潤状態で、容器の外周面上横方向に巻回し、その両端部を接続することによって容器に取り付けられるが、この場合、その両端部の接続方法としては、湿潤しても、その両端部が容易に分離しない方法であればよく、従来公知の各種の方法を用いることができる。このような方法としては、例えば、粘着テープを用いる方法や接着剤を用いる方法等がある。接着剤としては、例えば、熱硬化性樹脂接着剤、熱可塑性樹脂接着剤、天然樹脂、アラビアゴム、カゼイン、デキストリン、デンプン等が挙げられる。
【００２４】
【実施例】
次に本発明を実施例によりさらに詳述する。
【００２５】
実施例１
（Ａタイプの紙ラベル）
新聞に綴じ込んである広告宣伝用のチラシで、表だけ印刷されていて裏は無地の紙を用い、横２２．５ｃｍ、縦８．５ｃｍのＡタイプの紙ラベルを作成した。このものを３０秒間水に浸けて湿潤させると、この紙ラベルの横幅は２２．５ｃｍで実質上変化がなく、縦は８．７ｃｍとなり、伸びを生じた。次に、この湿潤状態の紙ラベルを、１０時間自然乾燥すると、その紙ラベルの横寸法は２２．３ｃｍとなり、収縮を生じ、また縦寸法は８．３ｃｍとなり、収縮を生じた。更に、これを再度３０秒間水に浸けて湿潤させると、その横寸法は２２．４ｃｍとなり、縦寸法は８．３５ｃｍとなった。
【００２６】
実施例２
（Ｂタイプの紙ラベル）
白のコピー用紙を用いて、横寸法１５ｃｍ、縦寸法３．５ｃｍのＢタイプの紙ラベルを作成した。
この紙ラベルを３０秒間水に透けて湿潤させると、その横寸法は１５．２ｃｍとなり、伸びを生じたが、その縦寸法は３．５ｃｍで実質的に変化を生じなかった。
次に、この湿潤した紙ラベルを１０時間自然乾燥したところ、その横寸法は１４．９ｃｍとなり、収縮を生じたが、縦寸法は３．５ｃｍであり、実質的な変化を生じなかった。
更に、このラベル紙を再度水に浸けたところ、その横寸法は１５．２ｃｍとなり、伸びを生じたが、その縦寸法は３．５ｃｍと変化しなかった。
【００２７】
実施例３
使用済みの内容量４００ｍｌの金属缶を１個準備する。新聞に綴じ込んである広告宣伝用のチラシで、表だけ印刷されていて裏は無地の紙を１枚準備する。このチラシで縦８．５ｃｍ、横２２．５ｃｍのＡタイプの湿潤しても横方向は伸びないが、縦方向には伸びる紙ラベルを作成した。
次に、１００円ショップで幅１ｃｍの両面粘着テープを購入し準備した。
次に、準備している紙ラベルの糊付け部分に両面粘着テープを貼った。次にこの紙ラベルを準備していた金属缶の外周面に巻回し、その容器両端部において、糊代部分だけを両面粘着テープで接合して取り付けた。
次にこの紙ラベルを取り付けた金属缶を、３０秒間水に浸して該紙ラベルを湿潤させた後、５時間室内で自然乾燥した。次にこの金属缶に水を充填して、スクリュウキャップで蓋をした。
この紙ラベル付き容器において、紙ラベルは落下しないしズレないことが確認された。
更に、この完成した紙ラベル付金属缶を、再度５時間水に浸け湿潤させた。紙ラベルは落下しないしズレないことが確認された。
【００２８】
実施例４
使用済みの内容量１２０ｍｌのビンを１個準備する。新聞に綴じ込んである広告宣伝用のチラシで、表だけ印刷されていて裏は無地の紙を１枚準備する。このチラシで縦４ｃｍ、横１６．８ｃｍのＡタイプの湿潤しても横方向は伸びないが、縦方向には伸びる紙ラベルを作成した。次に１００円ショップで幅１ｃｍの両面テープを購入し準備した。次に準備している紙ラベルの糊付け部分に両面粘着テープを貼った。次にこの紙ラベルを準備していたビンの外周面に巻回し、その両端部において糊代部分だけをそのテープで接合して容器に取り付けた。次にこの紙ラベルを３０秒間水に浸して湿潤させた後、５時間室内で自然乾燥させた。この紙ラベル付きビンにおいて、紙ラベルは落下しないしズレないことが確認された。
更に、この完成したラベル付のビンを、再度５時間水に浸け吸湿させた。紙ラベルは落下しないしズレないことが確認された。
【００２９】
実施例５
使用済みの内容量５００ｍｌの中央が凹んでいるペットボトルを１個準備する。新聞に綴じ込んである広告宣伝用のチラシで、表だけ印刷されていて裏は無地の紙を１枚準備する。このチラシで縦８ｃｍ、横２２ｃｍのＡタイプの湿潤しても横方向は伸びないが、縦方向は伸びる紙ラベルを作成した。次に１００円ショップで幅１ｃｍの両面粘着テープを購入し準備した。次に準備している紙ラベルの一方の端部に両面粘着テープを貼った。次にこの紙ラベルを準備していたペットボトルの外周面に巻回し、その両端部において接合した。次にこの紙ラベルを貼ったペットボトルを３０秒間水に浸して湿潤させた後、５時間室内で自然乾燥させた。次にこのペットボトルに水を充填して、スクリュウキャップで蓋をした。このラベル付きペットボトルにおいて、紙ラベルは落下しないしズレもなく、左右にもまわりにくいことが確認された。
【００３０】
実施例６
使用済みの内容量１２０ｍｌのビンを１個準備する。市販のコピー用紙を１枚準備する。この用紙で縦４ｃｍ、横１６．８ｃｍのＢタイプの湿潤しても横方向には伸びるが、縦方向は伸びない紙ラベルを作成した。次に１００円ショップで市販の糊を購入し準備した。次にこの紙ラベルを３０秒間水に浸して湿潤させた。次に湿潤した紙ラベルの一方の端部の糊付け部分に糊を付着させた。次にこの紙ラベルを準備していたビンの外周面に巻回し、その両端部を糊で接合した。次に５時間室内で自然乾燥させた。このラベル付きビンにおいて、紙ラベルは落下しないしズレないことが確認された。
【００３１】
実施例７
新聞にとじ込んである広告宣伝用チラシで、表だけが印刷されていて裏は無地の紙で、横寸法２２．５ｃｍ、縦寸法８．５ｃｍのＡタイプの紙ラベルを作成した。この紙ラベルは、内容４００ｍｌのアルミ缶用紙ラベルとして好適のものである。
この紙ラベルを水に３０秒間浸けて湿潤させると、その横寸法は２２．５ｃｍで変化を生じなかったが、その縦寸法は８．８ｃｍで、伸びを生じた。
次に、この湿潤紙ラベルを１８時間自然乾燥したところ、その横寸法は２２．３ｃｍとなり、収縮を生じ、その縦寸法は８．５ｃｍとなり、収縮を生じた。
更に、この紙ラベルを再度５時間水に浸けて湿潤させると、その横寸法は２２．４ｃｍとなり、伸びを生じたが、その縦寸法は８．５ｃｍであり、変化を生じなかった。
次に、この湿潤紙ラベルを１８時間自然乾燥したところ、その横寸法は２２．３ｃｍとなり、収縮を生じたが、その縦寸法は８．５ｃｍで、変化を生じなかった。
【００３２】
実施例８
新聞にとじ込んである広告宣伝用チラシで、表だけが印刷されていて裏は無地の紙で、横寸法１６．８ｃｍ、縦寸法４．０ｃｍのＡタイプの紙ラベルを作成した。この紙ラベルは、内容物１２０ｍｌ用のビンに対して好適のものである。
この紙ラベルを水に３０秒間浸けて湿潤させると、その横寸法は１６．８ｃｍで変化を生じなかったが、その縦寸法は４．１ｃｍで、伸びを生じた。
次に、この湿潤紙ラベルを１８時間自然乾燥したところ、その横寸法は１６．７ｃｍとなり、収縮を生じ、その縦寸法は４．０ｃｍとなり、収縮を生じた。
更に、この紙ラベルを再度５時間水につけて湿潤させると、その横寸法は１６．８ｃｍとなり、伸びを生じ、その縦寸法は４．１ｃｍとなり、伸びを生じた。
次に、この湿潤紙ラベルを１８時間自然乾燥したところ、その横寸法は１６．７ｃｍとなり、収縮を生じ、その縦寸法は４．０ｃｍとなり、収縮を生じた。
【００３３】
実施例９
コピー用紙の内でざら紙からなり、横寸法２２ｃｍ、縦寸法５ｃｍのＡタイプの紙ラベルを作成した。
この紙ラベルを水に３０秒間浸けて湿潤させると、その横寸法は２１．９ｃｍで収縮したが、その縦寸法は５．２ｃｍで、伸びを生じた。
次に、この湿潤紙ラベルを５時間自然乾燥したところ、その横寸法は２１．８ｃｍとなり、収縮を生じ、その縦寸法は５．０ｃｍとなり、収縮を生じた。
更に、この紙ラベルを再度５時間水に浸けて湿潤させると、その横寸法は２１．９ｃｍとなり、伸びを生じ、その縦寸法は５．２ｃｍであり、伸びを生じた。
次に、この湿潤紙ラベルを５時間自然乾燥したところ、その横寸法は２１．７５ｃｍとなり、収縮を生じ、その縦寸法は５．０ｃｍで、収縮を生じた。
【００３４】
実施例１０
コピー用紙の内でざら紙からなる横寸法２１．０ｃｍ、縦寸法５．０ｃｍの紙ラベルを作成した。
この紙ラベルを水に３０秒間浸けて湿潤させると、その横寸法は２１．６ｃｍで伸びを生じ、その縦寸法は５．０ｃｍで、伸びを生じなかった。
次に、この湿潤紙ラベルを５時間自然乾燥したところ、その横寸法は２０．８ｃｍとなり、収縮を生じ、その縦寸法は４．９ｃｍとなり、収縮を生じた。
更に、この紙ラベルを再度５時間水に浸けて湿潤させると、その横寸法は２１．６ｃｍとなり、伸びを生じ、その縦寸法は５．０ｃｍであり、伸びを生じた。
次に、この湿潤紙ラベルを５時間自然乾燥したところ、その横寸法は２０．８ｃｍとなり、収縮を生じ、その縦寸法は４．９ｃｍで、収縮を生じた。
【００３５】
実施例１１
使用済みの内容量３３４ｍｌのビンを１個準備する。コピー用紙のザラ紙を１枚準備する。この用紙で縦８ｃｍ、横２２ｃｍのＡタイプの湿潤しても横方向は伸びないが、縦方向は伸びる紙ラベルを作成した。次に１００円ショップで幅１ｃｍの両面粘着テープを購入し準備した。次に準備している紙ラベルの一方の端部の糊付け部分に両面テープを貼った。次にこの紙ラベルを準備していたビンの外周面に巻回し、その両端部をその両面粘着テープで接合した。次にこの紙ラベルを取り付けたビンを３０秒間水に浸して湿潤させた。次に５時間室内で自然乾燥させた。紙ラベルは落下しないし左右にもズレないことが確認された。
更に、この完成したラベル付のビンを、再度５時間水に浸け湿潤させた。紙ラベルは落下しないしズレも生じないことが確認された。
【００３６】
実施例１２
コピー用紙からなり、横寸法２２．０ｃｍ、縦寸法５．０ｃｍのＡタイプの紙ラベルを作成した。
この紙ラベルを水に３０秒間浸けて湿潤させると、その横寸法は２２．０ｃｍで変化を生じなかったが、その縦寸法は５．２ｃｍで、伸びを生じた。
次に、この湿潤紙ラベルを５時間自然乾燥したところ、その横寸法は２１．９ｃｍとなり、収縮を生じ、その縦寸法は５．０ｃｍとなり、収縮を生じた。
更に、この紙ラベルを再度５時間水に浸けて湿潤させると、その横寸法は２２．０ｃｍとなり、伸びを生じ、その縦寸法は５．２ｃｍであり、伸びを生じた。
次に、この湿潤紙ラベルを５時間自然乾燥したところ、その横寸法は２１．８５ｃｍとなり、収縮を生じ、その縦寸法は５．０ｃｍとなり、収縮を生じた。
【００３７】
実施例１３
コピー用紙からなり、横寸法２１．０ｃｍ、縦寸法５．０ｃｍのＢタイプの紙ラベルを作成した。
この紙ラベルを水に３０秒間浸けて湿潤させると、その横寸法は２１．５ｃｍとなり、伸びを生じたが、その縦寸法は５．０ｃｍで、伸びを生じなかった。
次に、この湿潤紙ラベルを５時間自然乾燥したところ、その横寸法は２０．９ｃｍとなり、収縮を生じたが、その縦寸法は５．０ｃｍであり、収縮を生じなかった。
更に、この紙ラベルを再度５時間水につけて湿潤させると、その横寸法は２１．５ｃｍとなり、伸びを生じたが、その縦寸法は５．０ｃｍであり、伸びを生じなかった。
次に、この湿潤紙ラベルを５時間自然乾燥したところ、その横寸法は２０．９ｃｍとなり、収縮を生じたが、その縦寸法は５．０ｃｍで、変化を生じなかった。
【００３８】
【発明の効果】
本発明の紙ラベルは、容器表面に接着剤を用いることなく固定化することができる。そして、この紙ラベルを適用した容器からは、その紙ラベルを人手等により容易に除去することができる。
従って、本発明の紙ラベルを取り付けた容器は、リサイクル容易なものであり、そして、その容器から除去した紙ラベルは、その裏面に接着剤層を有しないことから、再生紙等として容易に再利用することができる。
本発明は、以上のように、ラベル付き容器の再利用を環境を害することなく容易にするもので、その産業的意義は多大である。
【図面の簡単な説明】
【図１】本発明の紙ラベルの説明図である。
【図２】本発明の紙ラベルを取り付けた容器の説明図である。
【符号の説明】
１  紙基材
２  接着性接続端部
３  接続端部
４  接続部
５  紙ラベル
６  容器
【図１】
2004219957.tif 000002
【図２】
2004219957.tif 000003